(57)【要約】【課題】通信コストが下げられることができるように、携帯通信装置を接続するより好ましく廉価な経路を選択すること。【解決手段】  通信処理のための装置と方法が開示される。装置は、ネットワーク接続ユニット、無線接続ユニット、処理装置を含む。ネットワーク接続ユニットは、インターネットと接続し、第１の通信信号をインターネットで通信するために使用される。無線接続ユニットは、携帯通信装置と接続し、第１の通信接続または第２の通信接続を通して、第２の通信信号を携帯通信装置に通信するために使用される。処理ユニットは、第１の通信信号を第２の通信信号と変換・逆変換するために使われる。通信要求が通信処理装置で受け取られるとき、有効で安定した通信接続は確立されることができ、それにより起こりうる通信の中断が避けられることができ、そして、通信のコストも下がる。【選択図】図２
2008172646.tif 000002
【特許請求の範囲】
【請求項１】
インターネットに接続し、インターネットで第１の通信信号を通信するネットワーク接続ユニットと、
携帯通信装置によって送られる接続信号を検出し、該携帯通信装置と接続し、前記接続信号にしたがって第１の通信接続または第２の通信接続を通して第２の通信信号を携帯通信装置と通信する無線接続ユニットと、
ネットワーク接続ユニットと無線接続ユニットに結合され、第１の通信信号を第２の通信信号に変換する処理装置と、
を備えることを特徴とする通信処理装置。
【請求項２】
前記ネットワーク接続ユニットは、前記インターネットを介して遠隔デバイスと接続し、第１の通信信号を遠隔デバイスと通信することを特徴とする請求項１に記載の通信処理装置。
【請求項３】
携帯通信装置と遠隔デバイスの間の通信をユーザーが操作するためのユーザインタフェースを与えるためのインターフェースユニットをさらに備えることを特徴とする請求項１に記載の通信処理装置。
【請求項４】
第１の通信信号と第２の通信信号を保存する記憶ユニットをさらに備えることを特徴とする請求項１に記載の通信処理装置。
【請求項５】
前記ネットワーク接続ユニットは、インターネットとの関係を確立するためのインターネットプロトコルをサポートすることを特徴とする請求項１に記載の通信処理装置。
【請求項６】
前記無線接続ユニットは、第１の通信接続を確立するための第１の無線通信プロトコルをサポートし、第１の無線通信プロトコルは、ブルートゥース無線通信プロトコルまたは赤外線の無線通信プロトコルであることを特徴とする請求項１に記載の通信処理装置。
【請求項７】
前記無線接続ユニットは、第２の通信接続を確立するための第２の無線通信プロトコルをサポートし、第２の無線通信プロトコルは、ＰＨＳの通信プロトコル、ＧＳＭ通信プロトコル、またはＣＤＭＡ通信プロトコルのいずれかであることを特徴とする請求項１に記載の装置。
【請求項８】
前記通信処理装置と前記携帯通信装置の間の第２の通信接続は、前記電話局によって確立されることを特徴とする請求項７に記載の通信処理装置。
【請求項９】
携帯通信装置によって送られた接続信号を検出するステップと、
前記接続信号にしたがって、第１の通信接続または第２の通信接続を通して前記携帯通信装置に接続するステップと、
前記携帯通信装置から通信要求を受け取るステップと、
通信要求にしたがってインターネットに接続するステップと、
前記携帯通信装置とインターネットの間で通信信号を転送するステップと、
を含むことを特徴とする通信処理装置で使用される通信処理方法。
【請求項１０】
前記通信要求にしたがってインターネットに接続するステップはさらに、
前記通信要求にしたがってインターネットを介して遠隔デバイスに接続するステップと、
前記携帯通信装置と遠隔デバイスの間で通信信号を転送するステップと、
を含むことを特徴とする請求項９に記載の通信処理方法。
【請求項１１】
前記通信処理装置は、第１の通信接続を確立するための第１の無線通信プロトコルをサポートし、第１の無線通信プロトコルは、ブルートゥース無線通信プロトコルまたは赤外線の無線通信プロトコルとし、
前記通信処理装置は、第２の通信接続を確立して第２の無線通信プロトコルをサポートし、第２の無線通信プロトコルは、ＰＨＳ通信プロトコル、ＧＳＭプロトコル、またはＣＤＭＡ通信プロトコルとすることを特徴とする請求項９に記載の通信処理方法。
【請求項１２】
前記携帯通信装置に接続するステップの前に、前記第１の無線通信プロトコルを介して前記通信処理装置を検出する前記携帯通信装置によって、
第１の無線通信プロトコルの信号が検出される場合、第１の通信接続を確立し、
第１の無線通信プロトコルの信号が検出されない場合、第２の通信接続を確立する、
ことを特徴とする請求項１１に記載の通信処理方法。
【請求項１３】
前記第２の通信接続は、電話局によって確立されることを特徴とする請求項１１に記載の通信処理方法。
【請求項１４】
インターネットから通信要求を受け取るステップと、
前記通信要求にしたがって前記携帯通信装置を検出し、通信装置によって送られた接続信号を受けるステップと、
前記接続信号にしたがって第１の通信接続または第２の通信接続を通して前記携帯通信装置に接続するステップと、
前記携帯通信装置とインターネットの間で通信信号を転送するステップと、
を含むことを特徴とする通信処理装置で使用される通信処理方法。
【請求項１５】
前記通信要求を受信するステップはさらに、
インターネットを介して遠隔デバイスから通信要求を受け取るステップと、
前記携帯通信装置と遠隔デバイスの間で通信信号を転送するステップと。
を含むことを特徴とする請求項１４に記載の通信処理方法。
【請求項１６】
前記通信処理装置は、第１の通信接続を確立するための第１の無線通信プロトコルをサポートし、第１の無線通信プロトコルは、ブルートゥース無線通信プロトコルまたは赤外線の無線通信プロトコルとし、
前記通信処理装置は、第２の通信接続を確立して第２の無線通信プロトコルをサポートし、第２の無線通信プロトコルは、ＰＨＳ通信プロトコル、ＧＳＭプロトコル、またはＣＤＭＡ通信プロトコルとすることを特徴とする請求項１４に記載の通信処理方法。
【請求項１７】
前記携帯通信装置に接続するステップの前に、前記第１の無線通信プロトコルを介して前記通信処理装置を検出する前記携帯通信装置によって、
第１の無線通信プロトコルの信号が検出される場合、第１の通信接続を確立し、
第１の無線通信プロトコルの信号が検出されない場合、第２の通信接続を確立する、
ことを特徴とする請求項１６に記載の通信処理方法。
【請求項１８】
前記第２の通信接続は、電話局によって確立されることを特徴とする請求項１６に記載の通信処理方法。
【発明の詳細な説明】
【技術分野】
【０００１】
本発明は、一般に通信装置に関し、特に、携帯通信装置とインターネットの間の、通信処理装置および方法に関する。
【背景技術】
【０００２】
通信ネットワークが進んで、さまざまな器材を使っている人々の間の通信の量が大幅に増加している。近年、電子装置の開発のための急速ペースはＧＳＭ、ＣＤＭＡと３Ｇなどの様々な移動通信システムを作成したので、かつてない数のユーザーが携帯電話装置によって通信ネットワークに組み込まれている。
【０００３】
携帯用の携帯電話装置の特徴を強化するために、さらなる機能が頻繁に取り入れられる。インターネットアクセス機能は、そのような機能のうち人気がある一つである。ケーブル接続することなく、ユーザーは携帯電話を使用して、ウェブサイトのブラウジング、電子メールの送信、友人と一緒のチャット、買い物、その他の目的でネットワークにログインすることができる。こうした様々な新しい機能の多様性により、携帯電話はより実用的で価値のあるものになり、電話会社にビジネス上の利点を無限にもたらす。
【０００４】
図１は、従来の携帯通信装置を示す概略図である。図１を参照すると、携帯通信装置１００は制御装置１０２を含み、ここで、通信装置１０１と制御装置１０２は、通信装置１０１に制御信号を送るために使われる。制御信号の受信時に、通信装置１０１を無線通信プロトコルを通して電話局１１０に接続し、通信信号を電話局１１０と通信するために使われる。携帯通信装置１００は通信プロトコルをサポートし、それにより電話局１１０を介して他の装置と通信することができるようにしている。
【発明の開示】
【発明が解決しようとする課題】
【０００５】
しかしながら、通信機能であろうと、インターネット接続機能であろうと、通常は電話局１１０を介して通信することにより通信料が高額になるので、これらの機能を好ましくないものにしている。さらに、パーソナルハンディフォンシステム（ＰＨＳ）のような低電力の無線通信プロトコルをサポートしているこうした携帯通信装置では、通信信号が高い建物のような固体で簡単に遮断される。その結果、携帯通信装置は安定してオンライン状態を維持することができず、ユーザーにとって非常に不都合である。
【０００６】
したがって、本発明の目的は、携帯通信装置をインターネットと接続する通信処理装置を提供し、通信をより便利にすることである。
【０００７】
本発明の他の目的は、通信処理方法を提供することである。中間にある中継の通信処理装置を用いることにより、携帯通信装置を接続するより好ましく廉価な経路を選択し、通信コストが下げられることができるようにする。
【課題を解決するための手段】
【０００８】
上述の目的を達成するために、本発明は、ネットワーク接続ユニット、無線接続ユニットと処理装置を備える通信処理装置を提供する。そこで、ネットワーク接続ユニットは、インターネットを介して遠隔デバイスと接続し、第１の通信信号を遠隔デバイスに通信するのに使用される。無線接続ユニットは、携帯通信装置によって送信される接続信号を検出し、携帯通信装置に接続し、接続信号にしたがって第１の通信接続または第２の通信接続を通して第２の通信信号を携帯通信装置と通信するのに使われる。処理ユニットは、ネットワーク接続ユニットと無線接続ユニットに結合され、第１の通信信号を第２の通信信号に変換・逆変換する。
【０００９】
本発明の１つの実施例で記述される通信処理装置によると、通信処理装置はインターフェースユニットを更に含む。このユーザインタフェースは、ユーザーが携帯通信装置と遠隔デバイスの間で通信を操作するのに使用される。
【００１０】
本発明の１つの実施例で記述される通信処理装置によると、通信処理装置は、第１の通信信号と第２の通信信号を保存する記憶ユニットを更に含む。
【００１１】
本発明の１つの実施例で記述される通信処理装置によると、ネットワーク接続ユニットは、遠隔デバイスとの接続を確立するために、インターネットプロトコルをサポートする。
【００１２】
本発明の１つの実施例で記述される通信処理装置によると、無線接続ユニットは、第１の無線通信プロトコルをサポートし、それにより第１の無線通信プロトコルがブルートゥース無線通信プロトコルまたは赤外線無線通信プロトコルからなる第１の通信接続を確立する。さらに、無線接続ユニットは、第２の通信接続を確立するための第２の無線通信プロトコルをサポートする。ここで、無線通信プロトコルは、パーソナルハンディフォンシステム（ＰＨＳ）通信プロトコル、グローバルシステムフォーモバイルコミュニケーション（ＧＳＭ）プロトコル、または符号分割多重アクセス（ＣＤＭＡ）通信プロトコルとすることができる。
【００１３】
本発明の１つの実施例で記述される通信処理装置によると、通信処理装置と携帯通信装置の間の第２の通信接続は、電話基地局によって確立される。
【００１４】
本発明は、通信処理装置のための以下のステップを含む通信処理方法を提供する。まず、携帯通信装置によって送られる接続信号を検出する。次に、携帯通信装置は、接続信号にしたがって第１の通信接続または第２の通信接続を介して接続される。それから、通信要求を携帯通信装置から受信し、通信要求にしたがってインターネット経由で遠隔デバイスに接続する。最後に、通信信号を、携帯通信装置と遠隔デバイスの間で転送する。
【００１５】
本発明の１つの実施例で記述される通信処理方法によると、携帯通信装置に接続する前に、携帯通信装置は、第１の無線通信プロトコルを介して通信処理装置を検出する。第１の無線通信プロトコルの信号が検出される場合、第１の通信接続を確立する。そうでない場合、第２の通信接続を確立する。
【００１６】
本発明の実施例は、通信処理装置のための以下のステップを含む通信処理方法を提供する。まず、通信要求を、インターネットを介して遠隔デバイスから受け取る。次に、通信要求にしたがって携帯通信装置を検出し、通信デバイスによって送信される接続信号を受け取る。それから、携帯通信装置は、接続信号にしたがって第１の通信接続または第２の通信接続を通して接続される。最後に、通信信号を、携帯通信装置と遠隔デバイスの間で転送する。
【００１７】
本発明の１つの実施例で記述される通信処理方法によると、携帯通信装置に接続する前に、通信処理装置は、第１の無線通信プロトコルを介して携帯通信装置を検出する。第１の無線通信プロトコルの信号が検出される場合、第１の通信接続を確立する。検出されない場合、第２の通信接続を確立する。
【発明の効果】
【００１８】
携帯通信装置をインターネットに、またはインターネットにある遠隔デバイスと接続する中間の通信処理装置を採用する。そこで、検出された接続信号にしたがって、２種類の通信接続を選択することができる。それにより、起こりうる通信の中断が避けられることができ、そして、通信のコストも下がる。
【発明を実施するための最良の形態】
【００１９】
ここで、本発明にかかる好ましい実施の形態をより詳細に参照し、例として添付の図面で説明する。可能な限り、同一または同様の部分を説明するにあたり、図面および説明で同一の番号を用いる。
【００２０】
電話会社間の競争が上がって、例えばブルートゥース無線モジュールまたは赤外線無線モジュールなどの、多くの補助的な無線通信モジュールを一つの携帯通信装置に組み込むようになった。たとえば、電話局から送られる無線信号が遮断されるなど、主な通信機能が利用できないときはいつでも、これらのモジュールにより第２のアプローチを通信に提供できるようにすることができる。本実施形態は、能率的に、そして、廉価に通信を結ぶことのこうした「代用品」を利用する。本発明について詳細に説明する実施の形態は、以下の通りである。
【００２１】
図２は、本発明に係る実施例の通信システムを示す概略図である。図２を参照すると、通信システムは、通信処理装置２１０、携帯通信装置２２０、電話局２３０、インターネット２４０と遠隔デバイス２５０を含む。そこで、通信処理装置２１０は、第１の無線通信プロトコル（例えばブルートゥースまたは赤外線の無線通信プロトコル）に従って、第１の通信信号を携帯通信装置２２０に知らせることができる。他方、通信処理装置２１０は、第２の無線通信プロトコルにしたがって、第２の通信信号を、電話局２３０を経て携帯通信装置２２０との間で通信してもよい。第２の無線通信プロトコルとしては、たとえば、パーソナルハンディフォンシステム（ＰＨＳ）通信プロトコル、グローバルシステムフォーモバイルコミュニケーション（ＧＳＭ）プロトコル、またはＣＤＭＡ通信プロトコルがある。さらに、通信処理装置２１０は、インターネットプロトコルを通してさらにインターネット２４０と通信することができ、インターネット２４０上で遠隔デバイス２５０との間で第３の通信信号を通信することができる。本実施の形態において、遠隔デバイス２５０は他の携帯通信装置、家庭用電話、またはインターネットサーバーであってもよいが、これらに限定するわけではない。
【００２２】
図３は、本発明に係る実施例の通信処理装置２１０を示す概略図である。図２と図３を参照すると、通信処理装置２１０は、無線接続ユニット２１１、ネットワーク接続ユニット２１２、処理ユニット２１３、インターフェースユニット２１４と記憶ユニット２１５を含む。
【００２３】
無線接続ユニット２１１は、携帯通信装置２２０によって送信される接続信号を検出し、携帯通信装置２２０と通信し、検出された通信信号にしたがって、例えばブルートゥースまたは赤外線の無線通信プロトコルなどの短距離無線通信プロトコルで、第１の通信信号を携帯通信装置２２０と通信するのに用いられる。無線接続ユニット２１１も、電話局２３０を通して携帯通信装置２２０と通信し、検出された接続信号にしたがい、また長距離無線通信プロトコルにしたがって、第２の通信信号を携帯通信装置２２０と通信するために用いてもよい。長距離無線通信プロトコルとしては、たとえば、パーソナルハンディフォンシステム（ＰＨＳ）通信プロトコル、グローバルシステムフォーモバイルコミュニケーション（ＧＳＭ）プロトコルまたは符号分割多重アクセス（ＣＤＭＡ）通信プロトコルがある。
【００２４】
ネットワーク接続ユニット２１２は、インターネットプロトコルにしたがったインターネット２４０を介した遠隔デバイス２５０との接続、ネットワーク通信信号で遠隔デバイス２５０との通信に使われる。処理ユニット２１３は、無線接続ユニット２１１とネットワーク接続ユニット２１２の両方に接続するのに用いられ、第１の通信信号または第２の通信信号を、遠隔デバイス２５０と携帯通信装置２２０との間の通信接続を確立するために、ネットワーク通信信号への変換または逆変換するために使われる。
【００２５】
インターフェースユニット２１４は、ユーザーが携帯通信装置２２０と遠隔デバイス２５０の間で通信を操作するための、ユーザインタフェースを与えるために使われる。記憶ユニット２１５は、第１の通信信号、第２の通信信号、ネットワーク通信信号を格納するために使われる。
【００２６】
本実施の形態において、通信処理装置２１０は、様々な状況にしたがって適当な接続モードを選ぶことができるように、２種類の無線通信プロトコルをサポートする。たとえば、通信処理装置２１０が屋内で使われるとき、短距離無線接続は確立することにより、通信信号が、建築物による障害に影響を受けないようにされる。他方、ユーザーによって通信処理装置２１０が屋外に運ばれて使用されるとき、長距離無線接続を採用してもよい。接続は、電話局２３０によって確立されることができる。短距離または長距離無線接続のどちらを使用するかは、通信処理装置２１０によって送信され、先に検出された接続信号にしたがって決定してもよい。さらに、通信処理装置２１０は、インターネットプロトコルをサポートする。通信処理装置２１０のサポートにより、携帯通信装置２２０は、従来の通信システムを使用する代わりに、インターネット上で遠隔デバイス２５０に接続することができる。したがって、高額の通信費用を節約することができる。
【００２７】
通信処理装置の通信は２つの状態を含み、すなわち呼び出し状態と受信状態がある。呼び出し状態では、通信要求は、携帯通信装置から通信処理装置まで送られ、遠隔デバイスとの接続を要求する。受信状態では、通信要求は、遠隔デバイスから通信処理装置まで送られ、携帯通信装置との接続を要求する。ここに示す２つの実施の形態により、これらの２つの状態に対応する通信処理方法を詳細に説明する。
【００２８】
図４は、本発明にかかる実施の形態の通信処理方法を示すフローチャートである。この実施の形態の通信処理方法は、上述の実施の形態で説明した通信処理装置に適用され、通信処理装置の呼び出し状態において用いられる。
【００２９】
図４を参照すると、ステップ４１０では、携帯通信装置は、第１無線通信プロトコルを介して通信処理装置を検出する。通信処理装置が検出された場合、携帯通信装置と通信処理装置との間の第１通信接続を確立する（ステップ４２０）。検出されない場合、携帯通信装置と通信処理装置との間の第２通信接続を、電話会社の基地局によって確立する（ステップ４３０）。すなわち、ユーザーによって通信要求が起動されたときにまず、携帯通信装置は第１のアプローチを試行してもよい。第１のアプローチが失敗した場合、第２のアプローチが実行される。一方で、携帯通信装置は、両アプローチを同時に試行し、信号強度や経済性に配慮するなどの様々な状況にしたがって、どちらのアプローチが使用に適しているかを決定してもよい。
【００３０】
この実施の形態では、第１の無線通信プロトコルは、ブルートゥースや赤外線無線通信プロトコルなどの短距離無線通信プロトコルとすることができる。第２の通信接続は、パーソナルハンディフォンシステム（ＰＨＳ）通信プロトコル、グローバルシステムフォーモバイルコミュニケーションズ（ＧＳＭ）プロトコル、符号分割多重アクセス（ＣＤＭＡ）通信プロトコルなどの、第２の無線通信プロトコルを介して構築される。
【００３１】
ステップ４４０では、通信処理装置は、携帯通信装置から送られる通信要求を受信する。通信要求は、電話番号やＩＰアドレスなどの呼情報および受信情報を含んでもよい。したがって、通信処理装置は、通信要求にしたがってインターネットを介して遠隔の装置に接続することができる（ステップ４５０）。通信は、スカイプなどのボイスオーバーインターネットプロトコル（ＶｏＩＰ）を用いることによって構築してもよいが、これに限定されるわけではない。
【００３２】
最後に、通信信号が、携帯通信装置と遠隔装置との間で転送される（ステップ４６０）。したがって、携帯通信装置のユーザーは、遠隔にいる友人と会話をしてもよく、また遠隔のメールボックスにメッセージまたはＥメールを送ってもよい。携帯通信装置が、第１のアプローチを用いて通信処理装置に接続する場合、電話会社からの通信料金が発生しないことが期待される。
【００３３】
他方、受信状態で、携帯通信装置は、遠隔デバイスから呼び出しを受信する。図５は、本発明に係る実施例の通信処理方法を示すフローチャートである。この方法は、前述の実施の形態で記述されるように、通信処理装置にも適用される。
【００３４】
図５を参照すると、ステップ５１０において、通信処理装置は、インターネットを介して遠隔デバイスから通信要求を受け取る。遠隔デバイスのユーザーは通信要求を作成するためにＶｏＩＰソフトウェアを使用してもよい。ここで、通信要求は発信者の、そして、受信者の情報を含む。受信者の情報は、例えば電話番号、ＩＰアドレス、その他とすることができる。
【００３５】
ステップ５２０で、通信処理装置は、第１の無線通信プロトコルを介して携帯通信装置を検出する。第１の無線通信プロトコルの信号が検出される場合、携帯通信装置と通信処理装置間の第１の通信接続を確立する（ステップ５３０）。そうでない場合、携帯通信装置と通信処理装置間の第２の通信接続を確立する（ステップ５４０）。前述の実施の形態と比較すると、通信処理装置は自ら検出処理を実行する。その結果、通信処理装置と携帯通信装置を接続する最適経路が選択される。
【００３６】
前述の実施の形態と同様に、本実施の形態において、第１の無線通信プロトコルは、短距離無線通信プロトコルとすることができる。短距離無線通信プロトコルには、例えばブルートゥースまたは赤外線の無線通信プロトコルがある。第２通信接続は、第２の無線通信プロトコルを通して構築される。第２の無線通信プロトコルには、パーソナルハンディホンシステム（ＰＨＳ）の通信プロトコル、グローバルシステムフォーモバイルコミュニケーション（ＧＳＭ）プロトコルまたは符号分割多重アクセス（ＣＤＭＡ）通信プロトコルがある。
【００３７】
接続を確立するとき、通信信号を携帯通信装置と遠隔デバイスの間で転送する（ステップ５５０）。したがって、遠い通信デバイスのユーザーは数字をダイヤルする必要がある。そして、通信処理装置により、携帯通信装置のユーザーに接続する最適の経路がわかるので、効率的で経済通信方法が得られる。
【００３８】
まとめると、本発明の通信処理装置および方法には、少なくとも以下の利点がある。
【００３９】
１．通信処理装置のサポートを通して、携帯通信装置は、インターネットに接続すること、またはＶｏＩＰ機能を使用しているインターネット上で遠隔デバイスに接続することができる。したがって、高額の通信費用が節約される。
【００４０】
２．短距離無線通信プロトコルを用いて、転送率を上げることができる、そして、伝達品質は安定した状態に保たれることができ、よってより高水準マルチメディアの機能を実現できる。
【００４１】
３．携帯通信装置ですでに採用されている組み込み型ブルートゥースまたは赤外線装置を用いることにより、余分のハードウェアインストールが不要となる。
【００４２】
本発明の範囲および考え方から逸脱しない中で、様々な修正および変形を本発明の構造として考えることができることは、この技術をよく理解するものにとって明らかである。上述のように、添付の特許請求の範囲とその均等の範囲内において、本発明では、この発明の修正や変更を含めることを意図している。
【図面の簡単な説明】
【００４３】
【図１】従来の携帯通信装置を示す概略図である。
【図２】本発明にかかる実施例の通信システムを示す概略図である。
【図３】本発明にかかる実施例の通信処理装置を示す概略図である。
【図４】本発明に係る実施例の通信処理方法を示すフローチャートである。
【図５】本発明に係る実施例の通信処理方法を示すフローチャートである。
【符号の説明】
【００４４】
１００    携帯通信装置
１０１    通信装置
１０２    制御装置
１１０    電話局
２１０    通信処理装置
２１１    無線接続ユニット
２１２    ネットワーク接続ユニット
２１３    処理ユニット
２１４    インターフェースユニット
２１５    記憶ユニット
２２０    携帯通信装置
２３０    電話局
２４０    インターネット
２５０    遠隔デバイス
【図１】
2008172646.tif 000003
【図２】
2008172646.tif 000004
【図３】
2008172646.tif 000005
【図４】
2008172646.tif 000006
【図５】
2008172646.tif 000007
【外国語明細書】
1. TITLE OF THE INVENTION
COMMUNICATION PROCESSING APPARATUS AND METHOD 
2. DETAILED DESCRIPTION OF INVENTION
BACKGROUND OF THE INVENTION
Field of Invention
[0001]    The present invention generally relates to a communication apparatus, in particular, to an apparatus and a method for processing communication between a portable communication device and internet. 
Description of Related Art
[0002]     As the communication network advances, the amount of communication between people using various types of equipments increases tremendously.  In recent years, the rapid pace for the development of electronic devices has created various mobile communication systems such as the GSM, the CDMA and the 3G, therefore an unprecedented number of users are tapped into the communication network through mobile phone devices.
[0003]     To enhance the features of a portable mobile phone devices, additional functions are frequently incorporated. The internet access function is a popular one of such functions. Without cable connection, users may use the mobile phone to login network for browsing websites, sending emails, chatting with friends, shopping, etc. The diversity of these novel functions makes the mobile phone more practical and valuable and brings unlimited business benefits for the telecommunication companies.
[0004]     Fig. 1 is a schematic diagram illustrating a conventional portable communication device. Referring to Fig. 1, the portable communication device 100 includes a communication unit 101 and a control unit 102, wherein the control unit 102 is used for sending a control signal to the communication unit 101. The communication unit 101 is used for connecting with a telecommunication base 110 through a wireless communication protocol and communicating the communication signal with the telecommunication base 110 when receiving the control signal. The portable communication device 100 supports a communication protocol, such that it can communicate with other devices through the telecommunication base 110. 
[0005]     However, no matter for the communication function or for the internet connecting function, to communicate over the telecommunication base 110 usually brings a large sum of communication fee and that makes these functions undesirable. Furthermore, for those portable communication devices supporting lower power wireless communication protocol like Personal Handy-phone System (PHS), the communication signal is easily blocked by solid objects such as high buildings. As a result, the portable communication device is not able to hold the on-line state stably, which is very inconvenient for the users.
SUMMARY OF THE INVENTION
[0006] Accordingly, an objective of the present invention is to provide a communication processing apparatus for connecting a portable communication device with internet, so as to increase the convenience of communication.
[0007] Another objective of the present invention is to provide a communication processing method. By using a communication processing apparatus as an intermediate coordinator, a better and more economic approach for connecting a portable communication device will be chosen, such that the cost of communication can be reduced.
[0008]    In order to achieve the aforementioned and other objectives, the present invention provides a communication processing apparatus, which comprises a network connecting unit, a wireless connecting unit, and processing unit. Wherein, the network connecting unit is for use in connecting with a remote device through internet and communicating a first communicating signal with the remote device. The wireless connecting unit is used for detecting a connecting signal sent by a portable communication device and connecting with the portable communication device, and communicating a second communicating signal with the portable communication device through a first communicating connection or a second communicating connection according to the connecting signal. The processing unit, coupled to the network connecting unit and the wireless connecting unit, is for converting the first communicating signal into the second communicating signal and vice versa.
[0009]     According to the communication processing apparatus described in one embodiment of the present invention, the communication processing apparatus further comprises an interface unit, which is for use in providing a user interface for users to operate the communication between the portable communication device and the remote device.
[0010]     According to the communication processing apparatus described in one embodiment of the present invention, the communication processing apparatus further comprises a storage unit for storing the first communicating signal and the second communicating signal.
[0011]     According to the communication processing apparatus described in one embodiment of the present invention, the network connecting unit supports an internet protocol for establishing the connection with the remote device.
[0012]     According to the communication processing apparatus described in one embodiment of the present invention, the wireless connecting unit supports a first wireless communication protocol for establishing the first communicating connection, wherein the first wireless communication protocol comprises a Bluetooth wireless communication protocol or an infrared wireless communication protocol. In addition, the wireless connecting unit further supports a second wireless communication protocol for establishing the second communicating connection, wherein the the second wireless communication protocol comprises a Personal Handy-phone System (PHS) communication protocol, a Global System for Mobile communications (GSM) protocol, or a Code Division Multiple Access (CDMA) communication protocol.
[0013]     According to the communication processing apparatus described in one embodiment of the present invention, the second communicating connection between the communication processing apparatus and the portable communication device is established by a telecommunication base station.
[0014]     The present invention provides a communication processing method suitable for a communication processing apparatus. The method includes following steps. First, a connecting signal sent by a portable communication device is detected. Next, the portable communication device is connected through a first communicating connection or a second communicating connection according to the connecting signal. Then, a communicating request is received from the portable communication device and a remote device is connected through internet according to the communicating request. Finally, a communicating signal is transferred between the portable communication device and the remote device.
[0015]     According to the communication processing method described in one embodiment of the present invention, wherein before connecting with a portable communication device, the portable communication device detects the communication processing apparatus through a first wireless communicating protocol. If the signal of the first wireless communicating protocol is detected, the first communicating connection is established. Otherwise, the second communicating connection is established.
[0016]     The present invention provides a communication processing method suitable for a communication processing apparatus. The present invention includes following steps. First, a communicating request is received from a remote device through internet. Next, a portable communication device according to the communicating request is detected and a connecting signal sent by the communication device is received. Then, a portable communication device is connected through a first communicating connection or a second communicating connection according to the connecting signal. Finally, a communicating signal is transferred between the portable communication device and the remote device.
[0017]     According to the communication processing method described in one embodiment of the present invention, wherein before connecting with the portable communication device, the communication processing apparatus detects the portable communication device through a first wireless communicating protocol. If the signal of the first wireless communicating protocol is detected, the first communicating connection is established. Otherwise, the second communicating connection is established.
[0018]     The present invention adopts an intermediate communication processing apparatus to connect a portable communication device with internet or a remote device in the internet. Wherein, two kinds of communicating connection can be selected according to a detected connecting signal, such that the possible interruption of the communication can be avoided and the cost of communication is also reduced. 
[0019]     In order to make the aforementioned and other objectives, features and advantages of the present invention comprehensible, preferred embodiments accompanied with figures are described in detail below.
DESCRIPTION OF EMBODIMENTS
[0020] The accompanying drawings are included to provide a further understanding of the invention, and are incorporated in and constitute a part of this specification. The drawings illustrate embodiments of the invention and, together with the description, serve to explain the principles of the invention.
[0021]    Reference will now be made in detail to the present preferred embodiments of the invention, examples of which are illustrated in the accompanying drawings.  Wherever possible, the same reference numbers are used in the drawings and the description to refer to the same or like parts.
[0022] As the competition between the telecommunication companies rises, many subsidiary wireless communication modules, such as Bluetooth wireless modules or infrared wireless modules, have been integrated in a single portable communication device. These modules may help providing a secondary approach for communication whenever the main communication function is not available, for example, the wireless signal sent from the telecommunication base is blocked. The present invention takes advantages of these “substitutes” for efficiently and economically linking the communication. The embodiments indicating the details of the present invention are provided as follows.
[0023] Fig. 2 is a schematic diagram illustrating a communication system according to an embodiment of the present invention. Referring to Fig. 2, the communication system includes a communication processing apparatus 210, a portable communication device 220, a telecommunication base 230, internet 240, and a remote device 250. Wherein, the communication processing apparatus 210 can communicate a first communicating signal with the portable communication device 220 according to a first wireless communication protocol such as Bluetooth or infrared wireless communication protocol. On the other hand, the communication processing apparatus 210 may communicate a second communicating signal with the portable communication device 220 through the telecommunication base 230 according to a second wireless communication protocol such as Personal Handy-phone System (PHS) communication protocol, a Global System for Mobile communications (GSM) protocol, or a Code Division Multiple Access (CDMA) communication protocol. Moreover, the communication processing apparatus 210 can further communicate with the internet 240 through an internet protocol and communicate a third communicating signal with a remote device 250 over the internet 240. In the present embodiment, the remote device 250 may be another portable communication device, a home telephone, or an internet server, but not limited to them.
[0024] Fig. 3 is a schematic diagram illustrating the communication processing apparatus 210 according to an embodiment of the present invention. Referring to Fig. 2 and Fig. 3, the communication processing apparatus 210 includes a wireless connecting unit 211, a network connecting unit 212, a processing unit 213, an interface unit 214, and a storage unit 215. 
[0025] The wireless connecting unit 211 is used for detecting a connecting signal sent by the portable communication device 220, and connecting with the portable communication device 220 and communicating a first communicating signal with the portable communication device 220 with a short distance wireless communication protocol such as Bluetooth or infrared wireless communication protocol according to the detected connecting signal.  The wireless connecting unit 211 may also be used for connecting with the portable communication device 220 via the telecommunication base 230 and communicating a second communicating signal with the portable communication device 220 according to a long distance wireless communication protocol such as Personal Handy-phone System (PHS) communication protocol, a Global System for Mobile communications (GSM) protocol, or a Code Division Multiple Access (CDMA) communication protocol according to the detected connecting signal. 
[0026]    The network connecting unit 212 is used for connecting with the remote device 250 through the internet 240 according to an internet protocol and communicat ing a network communicating signal with the remote device 250. The processing unit 213 is coupled to both of the wireless connecting unit 211 and the network connecting unit 212, and used for converting the first communicating signal or the second communicating signal into a network communicating signal and vice versa, so as to establish a communication connection between the remote device 250 and the portable communication device 220.
[0027]    The interface unit 214 is used for providing a user interface for users to operate the communication between the portable communication device 220 and the remote device 250. The storage unit 215 is used for storing the first communicating signal, the second communicating signal, and/or the network communicating signal. 
[0028] In the present embodiment, the communication processing apparatus 210 supports two kinds of wireless communication protocols so that a suitable connection mode can be selected according to different circumstances. For example, when the communication processing apparatus 210 is used indoor, a short distance wireless connection is established, such that the communicating signal is not affected by the block of architecture. On the other hand, when the communication processing apparatus 210 is carried by a user and used outdoor, a long distance wireless connection may be adopted. The connection can be built up by the telecommunication base 230. The use of short or long distance wireless connection may be determined according to a previously detected connecting signal sent by the communication processing apparatus 210. In addition, the communication processing apparatus 210 supports an internet protocol. With the support of the communication processing apparatus 210, the portable communication device 220 can connect with the remote device 250 over the internet instead of using a conventional communication system. Therefore, large sum of communication expense would be saved. 
[0029] The communication for the communication processing apparatus includes two states, which are referred to a calling state and a receiving state. In the calling state, a communicating request is sent from the portable communication device to the communication processing apparatus for requesting a connection with the remote device. In the receiving state, a communicating request is sent from the remote device to the communication processing apparatus for requesting a connection with the portable communication device. Two embodiments describing the details of the communication processing method corresponding to these two states are provided herein. 
[0030] Fig. 4 is a flowchart illustrating a communication processing method according to an embodiment of the present invention. The communication processing method of the present embodiment is applied to the communication processing apparatus as described in the foresaid embodiment and used in the calling state of the communication processing apparatus.
[0031]    Referring to Fig. 4, in step 410, the portable communication device detects the communication processing apparatus through a first wireless communicating protocol. If the communication processing apparatus is detected, a first communicating connection between the portable communication device and the communication processing apparatus is established (step 420). Otherwise, a second communicating connection between the portable communication device and the communication processing apparatus is established by a telecommunication base station (step 430). That means the portable communication device may try the first approach first when a communicating request is launched by a user. Once the first approach failed, a second approach is implemented. On the other hand, the portable communication device may try the both approaches at the same time and determine which approach is better for the use according to different circumstances such as signal strength or economical consideration.
[0032]    In the present embodiment, the first wireless communicating protocol can be a short distance wireless communicating protocol such as Bluetooth or an infrared wireless communication protocol. The second communicating connection is built up through a second wireless communicating protocol such as Personal Handy-phone System (PHS) communication protocol, Global System for Mobile communications (GSM) protocol, or Code Division Multiple Access (CDMA) communication protocol. 
[0033]    In step 440, the communication processing apparatus receives the communicating request sent from the portable communication device. The communicating request may contain the caller's and the receiver's information such as telephone number, and IP address, etc. Accordingly, the communication processing apparatus can connect with a remote device through internet according to the communicating request (step 450). The connection may be built up by using a Voice over Internet Protocol (VoIP) software such as Skype, but not limited to it. 
[0034] Finally, a communicating signal is transferred between the portable communication device and the remote device (step 460). Therefore, the user of the portable communication device may make a conversation with his friend on the remote side, or send a message or e-mail to a remote mailbox. If the portable communication device connects with the communication processing apparatus using the first approach, no communication fee from the telecommunication company is expected.
[0035] On the other hand, in a receiving state, the portable communication device receives a call from the remote device. Fig. 5 is a flowchart illustrating a communication processing method according to an embodiment of the present invention. The method is also applied to the communication processing apparatus as described in the foresaid embodiment.
[0036] Referring to Fig. 5, in step 510, the communication processing apparatus receives a communicating request from a remote device through internet. The user of the remote device may use a VoIP software to create the communicating request, wherein the communicating request contains the caller's and the receiver's information such as telephone number, IP address, etc.
[0037]    In step 520, the communication processing apparatus detects the portable communication device through a first wireless communicating protocol. If the signal of the first wireless communicating protocol is detected, a first communicating connection between the portable communication device and the communication processing apparatus is established (step 530). Otherwise, a second communicating connection between the portable communication device and the communication processing apparatus is established (step 540). Compare to the previous embodiment, the communication processing apparatus does the detecting procedure by itself. In the end, a best approach for connecting the communication processing apparatus and the portable communication device is selected. 
[0038]    Similar to the previous embodiment, in the present embodiment the first wireless communicating protocol can be a short distance wireless communicating protocol such as Bluetooth or an infrared wireless communication protocol. The second communicating connection is built up through a second wireless communicating protocol such as Personal Handy-phone System (PHS) communication protocol, Global System for Mobile communications (GSM) protocol, or Code Division Multiple Access (CDMA) communication protocol. 
[0039]    When the connection is established, a communicating signal is transferred between the portable communication device and the remote device (step 550).  Therefore, the user of the remote communication device just needs to dial a number and then the communication processing apparatus helps finding a best approach to connect with the user of the portable communication device, such that a efficient and economic communication way is obtained. 
[0040]    To sum up, the apparatus and method for communication processing of the present invention at least have following advantages. 
[0041]    1. Through the support of the communication processing apparatus, the portable communication device can connect with the internet or a remote device over the internet using a VoIP function. Therefore, large sum of communication expense is saved.
[0042]   2. By using a short distance wireless communication protocol, the transmission rate can be increased and transmission quality can be held steady, such that a higher level multi-media function can be realized. 
[0043]    3. By using the built-in Bluetooth or infrared device that already disposed in the portable communication device, no extra hardware installation is needed. 
[0044]    It will be apparent to those skilled in the art that various modifications and variations can be made to the structure of the present invention without departing from the scope or spirit of the invention. In view of the foregoing, it is intended that the present invention cover modifications and variations of this invention provided they fall within the scope of the following claims and their equivalents.
BRIEF DESCRIPTION OF DRAWINGS
Fig. 1 is a schematic diagram illustrating a conventional portable communication device.
Fig. 2 is a schematic diagram illustrating a communication system according to an embodiment of the present invention.
Fig. 3 is a schematic diagram illustrating the communication processing apparatus 210 according to an embodiment of the present invention.
Fig. 4 is a flowchart illustrating a communication processing method according to an embodiment of the present invention.
Fig. 5 is a flowchart illustrating a communication processing method according to an embodiment of the present invention.
Claims
1.  A communication processing apparatus, comprising:
a network connecting unit for connecting with internet and communicating a first communicating signal with the internet;
a wireless connecting unit for detecting a connecting signal sent by a portable communication device and connecting with the portable communication device, and communicating a second communicating signal with the portable communication device through a first communicating connection or a second communicating connection according to the connecting signal; and
a processing unit, coupled to the network connecting unit and the wireless connecting unit, for converting the first communicating signal into the second communicating signal and vice versa.
2.  The communication processing apparatus as recited in Claim 1, wherein the network connecting unit connecting with a remote device through internet and communicating the first communicating signal with the remote device.
3.  The communication processing apparatus as recited in Claim 1, further comprising:
an interface unit for providing a user interface for users to operate the communication between the portable communication device and the remote device.
4.  The communication processing apparatus as recited in Claim 1, further comprising:
a storage unit for storing the first communicating signal and the second communicating signal.
5.  The communication processing apparatus as recited in Claim 1, wherein the network connecting unit supports an internet protocol for establishing the connection with the internet.
6.  The communication processing apparatus as recited in Claim 1, wherein the wireless connecting unit supports a first wireless communication protocol for establishing the first communicating connection, and the first wireless communication protocol comprises a Bluetooth wireless communication protocol or an infrared wireless communication protocol.
7.  The communication processing apparatus as recited in Claim 1, wherein the wireless connecting unit supports a second wireless communication protocol for establishing the second communicating connection, and the second wireless communication protocol comprises a Personal Handy-phone System (PHS) communication protocol, a Global System for Mobile communications (GSM) protocol, or a Code Division Multiple Access (CDMA) communication protocol.
8.  The communication processing apparatus as recited in Claim 7, wherein the second communicating connection between the communication processing apparatus and the portable communication device is established by a telecommunication base station.
9.  A communication processing method, for use in a communication processing apparatus, comprising: 
detecting a connecting signal sent by a portable communication device;
connecting with the portable communication device through a first communicating connection or a second communicating connection according to the connecting signal;
receiving a communicating request from the portable communication device;
connecting with internet according to the communicating request; and
transferring a communicating signal between the portable communication device and the internet.
10.  The communication processing method as recited in Claim 9, wherein the step of connecting with internet according to the communicating request further comprising:
connecting with a remote device through internet according to the communicating request; and
transferring a communicating signal between the portable communication device and the remote device.
11.  The communication processing method as recited in Claim 9, wherein 
the communication processing apparatus supports a first wireless communication protocol for establishing the first communicating connection, and the first wireless communication protocol comprises a Bluetooth wireless communication protocol or an infrared wireless communication protocol; and
the communication processing apparatus supports a second wireless communication protocol for establishing the second communicating connection, and the second wireless communication protocol comprises a Personal Handy-phone System (PHS) communication protocol, a Global System for Mobile communications (GSM) protocol, or a Code Division Multiple Access (CDMA) communication protocol.
12.  The communication processing method as recited in Claim 11, wherein before the step of connecting with the portable communication device, the method further comprising:
the portable communication device detecting the communication processing apparatus through the first wireless communicating protocol;
if the signal of the first wireless communicating protocol is detected, the first communicating connection is established; and 
if the signal of the first wireless communicating protocol is not detected, the second communicating connection is established.
13.  The communication processing method as recited in Claim 11, wherein the second communicating connection is established by a telecommunication base station.
14.  A communication processing method, for a communication processing apparatus, comprising: 
receiving a communicating request from internet;
detecting a portable communication device according to the communicating request and receiving a connecting signal sent by the communication device;
connecting with the portable communication device through a first communicating connection or a second communicating connection according to the connecting signal; and
transferring a communicating signal between the portable communication device and the internet.
15.  The communication processing method as recited in Claim 14, wherein the step of receiving a communicating request further comprising:
receiving a communicating request from a remote device through internet; and
transferring a communicating signal between the portable communication device and the remote device.
16.  The communication processing method as recited in Claim 14, wherein 
the communication processing apparatus supports a first wireless communication protocol for establishing the first communicating connection, and the first wireless communication protocol comprises a Bluetooth wireless communication protocol or an infrared wireless communication protocol; and
the communication processing apparatus supports a second wireless communication protocol for establishing the second communicating connection, and the second wireless communication protocol comprises a Personal Handy-phone System (PHS) communication protocol, a Global System for Mobile communications (GSM) protocol, or a Code Division Multiple Access (CDMA) communication protocol.
17.  The communication processing method as recited in Claim 16, wherein before connecting with the portable communication device, the method further comprising:
detecting the portable communication device through the first wireless communicating protocol;
if the signal of the first wireless communication protocol is detected, the first communicating connection is established; and 
if the signal of the first wireless communication protocol is not detected, the second communicating connection is established.
18.  The communication processing method as recited in claim 16, wherein the second communicating connection is established by a telecommunication base station. 
１．Abstract
An apparatus and a method for communication processing are disclosed. The apparatus includes a network connecting unit, a wireless connecting unit, and a processing unit. The network connecting unit is for use in connecting with internet and communicating a first communicating signal with the internet. The wireless connecting unit is for use in connecting with a portable communication device and communicating a second communicating signal with the portable communication device through a first communicating connection or a second communicating connection. The processing unit is used for converting the first communicating signal into the second communicating signal and vice versa. When a communication request is received by the communication processing apparatus, an available or a stable communicating connection can be established, such that the possible interruption of the communication can be avoided and the cost of communication is also reduced.
２．Representative Drawing
Fig.2
【図1】
2008172646.tif 000008
【図2】
2008172646.tif 000009
【図3】
2008172646.tif 000010
【図4】
2008172646.tif 000011
【図5】
2008172646.tif 000012